(57)【要約】【課題】壁面への取付け後も簡便に、所望の方向に指向させることができる壁掛けディスプレイの支持装置を提供することを目的とする。【解決手段】壁面に固着するベース１と、ケース３と、ベース１とケース３とを連結するアーム部材２ａ乃至２ｄと、壁掛けディスプレイ側の面に俯仰自在に軸支したブラケット部材４、取付部材５と、を備える壁掛けディスプレイの支持装置によって、壁掛けディスプレイ面の上下左右の姿勢制御を行う。ケース３は、長孔によって軸支される摺動部材３３と、一端を摺動部材３３と同軸上に軸支し、他端を前記ブラケット部材に連結して、摺動部材３３の移動量に応じて、ブラケット部材４を俯仰させる連結部材３４と、螺入量に応じて摺動部材３３を移動させるねじ部材８と、を備えて、壁掛けディスプレイの垂直方向（俯仰）のきめ細かい姿勢制御を可能とする。【選択図】図１１
2004363788.tif 000002
【特許請求の範囲】
【請求項１】
定置面に固着可能なベース部材と、
前記定置面とディスプレイ面との傾角を調節する筐体と、
前記定置面とディスプレイ面との距離並びに水平角を調節可能なリンクを有し、前記筐体と、前記ベース部材とを連結する支持部材と、
壁掛けディスプレイ側に取付けられて、前記筐体への着脱手段を有する取付部材と、を備える壁掛けディスプレイの支持装置において、
前記筐体は、更に、
前記筐体内を往復自在に摺動する摺動部材と、
前記摺動部材の移動量を調節する手段と、
ディスプレイ面の水平軸と平行する支軸を介して、俯仰自在に軸支されるブラケット面と、
前記摺動部材と、ブラケット面の作用点とに連結されて、前記摺動部材に連動して、前記ブラケット面を俯仰させる連結部材と、を備えること、
を特徴とする壁掛けディスプレイの支持装置。
【請求項２】
定置面に固着可能なベース部材と、
前記定置面とディスプレイ面との傾角を調節する筐体と、
前記定置面とディスプレイ面との距離並びに水平角を調節可能なリンクを備えるアーム部材を含み、前記筐体と、前記ベース部材とを連結する支持部材と、
壁掛けディスプレイ側に取付けられて、前記筐体との着脱手段を有する取付部材と、を備える壁掛けディスプレイの支持装置において、
前記筐体は、更に、
ディスプレイ面の水平軸と平行する凸設支軸を有し、前記筐体内を摺動する摺動部材と、
該摺動部材の摺動方向に延在し、前記凸設支軸が貫通される貫通長孔と、
ディスプレイ面を俯仰自在に軸支するブラケット面と、
一端を前記摺動部材の凸設支軸と同軸上に軸支し、他端を前記ブラケット面の作用点に連結して、前記摺動部材の移動量に応じて、前記ブラケット面を俯仰させる連結部材と、
ねじ込み量に応じて前記摺動部材を移動させるねじ部材と、前記ねじ部材を螺入する貫通孔と、を備えること、
を特徴とする壁掛けディスプレイの支持装置。
【請求項３】
請求項１又は２に記載の壁掛けディスプレイの支持装置において、
前記ブラケット面は、
基部と、前記取付部材側に湾曲させた爪状端部と、からなる略凸字状の掛合部を有し、
前記取付部材は、前記ブラケット面の基部に嵌合する長孔を有し、
壁掛けディスプレイに装着された前記取付部材の長孔に、前記ブラケット面の係合部を挿入して掛止した後、固着して、壁掛けディスプレイを設置可能としたこと、
を特徴とする壁掛けディスプレイの支持装置。
【発明の詳細な説明】
【０００１】
【発明の属する技術分野】
本発明は、壁掛けディスプレイの支持装置に関し、特に、壁掛けディスプレイの向きを自在に調整可能とした壁掛けディスプレイの支持装置に関する。
【０００２】
【従来の技術】
薄型の液晶ディスプレイ（Ｌｉｑｕｉｄ  Ｃｒｙｓｔａｌ  Ｄｉｓｐｌａｙ；ＬＣＤ）やプラズマディスプレイパネル（Ｐｌａｓｍａ  Ｄｉｓｐｌａｙ  Ｐａｎｅｌ；ＰＤＰ）が、広く普及しつつあり、壁掛けできるタイプも提案されている。そして、壁掛けを行う場合には、設置する位置や向き、傾角を考慮すべきであり、壁掛け用の金具等において、異なる傾角を想定したアタッチメントを複数用意したもの等が知られている。また、例えば、特開平１０−１７４０２１号公報には、ディスプレイの下部のみを軸支し、上部をひも状部材で張り渡すことによって、傾角を調整可能とした壁掛けテレビ取付け装置が紹介されている。また、例えば、登録実用新案３０６６６００号公報には、複数の棒を連結部材で結合した取付け要素を複数対称配置し、左右方向の角度を調節する考案が紹介されている。
【０００３】
しかしながら、ディスプレイを取付けできる場所（壁面）には、強度等に一定の制約があるのが実情であり、当該取付け可能位置が適当でない場合も十分起こり得る。また、近年のリビング・ダイニングルームの面積拡大傾向やライフスタイルの多様化等を考慮すると、個人でソファでくつろぐ、大人数でテーブルを囲む等、好ましいディスプレイの向きは、生活シーン毎に異なっているものである。加えて、当該ディスプレイ自体の重量はもちろんとして、地震等による振れや、子供のぶら下がり行為等、傾角を変更した場合にあっても、その姿勢を保持できるよう配慮する必要がある。
【特許文献１】
特開平１０−１７４０２１号公報
【特許文献１】
登録実用新案３０６６６００号公報
【０００４】
【発明が解決しようとする課題】
本発明は、上記した事情を考慮してなされたものであって、壁面への取付け後も簡便に、所望の方向に指向・保持させることができる壁掛けディスプレイの支持装置を提供することを目的とする。
【０００５】
【課題を解決するための手段】
前記課題を解決するための手段を提供する本発明の第１の視点によれば、壁掛けディスプレイの支持装置において、定置面（壁面等）に固着可能なベース部材と、前記定置面とディスプレイ面との傾角を調節する筐体と、前記定置面とディスプレイ面との距離並びに水平角を調節可能なリンクを有し、前記筐体と、前記ベース部材とを連結する支持部材と、壁掛けディスプレイ側に取付けられて、前記筐体への着脱手段を有する取付部材と、を備えて、壁掛けディスプレイ面の上下左右の姿勢制御を行う構成が提供される。前記筐体は、前記筐体内を往復自在に摺動する摺動部材と、前記摺動部材の移動量を調節する手段と、ディスプレイ面の水平軸と平行する支軸を介して、俯仰自在に軸支されるブラケット面と、前記摺動部材と、ブラケット面の作用点とに連結されて、前記摺動部材に連動して、前記ブラケット部材を俯仰させる連結部材と、を備えて、摺動部材の往復運動に応じてブラケット部材を回転させるようにして、壁掛けディスプレイの垂直方向（俯仰）のきめ細かい姿勢制御を行う構成が提供される。
【０００６】
また、上記した壁掛けディスプレイの支持装置のその好ましい一実施の形態によれば、前記摺動部材は、ディスプレイ面の水平軸と平行する凸設支軸を有し、前記筐体は、該摺動部材の摺動方向に延在し、前記凸設支軸が貫通される貫通長孔と、ねじ込み量に応じて前記摺動部材を移動させるねじ部材と、前記ねじ部材を螺入する貫通孔と、を有し、前記連結部材は、一端を前記摺動部材の凸設支軸と同軸上に軸支し、他端を前記ブラケット面の作用点に連結して、前記摺動部材の移動量に応じて、前記ブラケット面を俯仰させる構成が提供される。
【０００７】
また、上記した壁掛けディスプレイの支持装置において、前記ブラケット面は、基部と、前記取付部材側に湾曲させた爪状端部と、からなる略凸字状の掛合部を有し、前記取付部材は、前記ブラケット面の基部に嵌合する長孔を有する壁掛けディスプレイの簡便な着脱を実現する構成が提供される。本構成によれば、まず、前記取付部材の長孔に、前記ブラケット面の、前記長孔より十分に幅の狭い爪状端部を挿入し、続いて、その基部に嵌合させることによって、取付部材が装着された壁掛けディスプレイを掛止することができる。爾後、所望の固着手段によって、前記取付部材とブラケット面と固着して、壁掛けディスプレイの設置が完了する。
【０００８】
【発明の実施の形態】
続いて、本発明の一実施の形態について、図面を参照して詳細に説明する。図１は、本実施の形態に係る壁掛けディスプレイの支持装置の平面図、図２は、本実施の形態に係る壁掛けディスプレイの支持装置の断面模式図である。図１、図２を参照すると、本実施の形態に係る壁掛けディスプレイの支持装置は、ベース１と、ケース（筐体）３とを水平方向に回動自在に支持するアーム２ａ、２ｂ、２ｃ、２ｄが、シャフト９（図２に例示）を介して連結され、更に、ケース（筐体）３の壁掛けディスプレイ装着側に軸支されたブラケット４と、ブラケット４に嵌合係止される取付金具５とからなっている。
【０００９】
図３は、本実施の形態に係るベース１の正面図（Ａ）、平面図（Ｂ）、底面図（Ｃ）、正面図（Ａ）のＤ−Ｄ’断面図（Ｄ）であり、図４は、本実施の形態に係るアーム２ａ、２ｃの正面図（Ａ）、平面図（Ｂ）、正面図（Ａ）のＣ−Ｃ’断面図（Ｃ）であり、図５は、アーム２ｂ、２ｄの正面図（Ａ）、底面図（Ｂ）、正面図（Ａ）のＣ−Ｃ’断面図（Ｃ）である。図３、図４、図５を参照すると、ベース１、アーム２ａ、２ｂ、２ｃ、２ｄは、それぞれ、孔１１、２１を有している。図１に示した如く、アーム２ａ、２ｂ、２ｃ、２ｄは、ベース１に設けられた孔１１、アームの孔２１、ケース（筐体）３のプレート６ａに設けられた孔（図７の６３）とを介して、パンタグラフ状に組まれ、回動自在に連結される。なお、図４、図５のアーム２ａ、２ｂ、２ｃ、２ｄは、端部の上下端に切欠部２２を有しているが、これは、該切欠部２２に対応する爪を有するワッシャ（図示せず）をシャフト９を介して嵌挿し、各ワッシャ間の摩擦による適当なトルクフリクションが得られるようにしたものである。勿論、上記構成に代えて、その他の摩擦要素を用いることも可能である。
【００１０】
図６は、本実施の形態に係るケース３の正面図（Ａ）、平面図（Ｂ）、側面図（Ｃ）であり、図７は、本実施の形態に係るプレート６ａの平面図（Ａ）、正面図（Ｂ）、側面図（Ｃ）である（プレート６ｂは略同様であるので省略する。）。図６、図７を参照すると、ケース（筐体）３は、上下の面に、ねじ部材８が挿入される貫通孔３１、アーム２ａ、２ｃを挟持するためのプレート６ａ、６ｂを固定するためのねじ孔３２を、両側面に、上下方向に延在する貫通長孔３５、貫通孔３６を、それぞれ有している。また、プレート６ａ、６ｂは、ケース（筐体）３の貫通孔３１、ねじ孔３２にそれぞれ対応する孔６１、６２と、アーム２ａ、２ｃの孔２１に対応する孔６３とを有している。このようにしてなるプレート６ａ、６ｂは、図１、図２に示す如く、それぞれケース（筐体）３の上面、底面にそれぞれ、アーム２ａ、２ｃ挟むようねじ等で固定される。
【００１１】
図８は、本実施の形態に係るスライダー（摺動部材）３３及び連結部材３４の側面図（Ａ）、背面図（Ｂ）、平面図（Ｃ）であり、図９は、本実施の形態に係るブラケット４の側面図（Ａ）、背面図（Ｂ）、平面図（Ｃ）である。図８を参照すると、スライダー（摺動部材）３３は、それぞれシャフト３８が挿入される孔３７と、スライダー（摺動部材）３３の開口部から挿設されたナット３９を有しており、ケース３の貫通長孔３５の延在範囲において、摺動自在に支持されるものとなっている。また、連結部材３４は、その一端に設けられた孔を介して、スライダー（摺動部材）３３の孔３５と同軸で軸支され、また他の一端にも孔３４１が設けられ、ブラケット４に設けられた孔４１に嵌挿されるシャフト３８によって軸支されるものとなっている。続いて、図９を参照すると、ブラケット４は、両側面に、連結部材３４の作用端となるシャフト３８が挿入される孔４１、孔４１よりベース１側よりに設けられ、回転軸をなすシャフト３８が挿入される孔４５を、有している。また、ブラケット４は、取付金具５側上部に、上端を取付金具５側に湾曲させた爪状端部４２と取付金具５の長孔５１に嵌合する基部４３とからなる略凸字状の係合部、取付金具５側下部に、取付金具５に固着するためのねじ孔４４、をそれぞれ有してなっている。かくして、図１、図２に示す如く、ブラケット４に取付金具５が係合せられ、ケース（筐体）３には、スライダー（摺動部材）３３を貫通する孔３７に嵌挿されるシャフト３８によって軸支された、スライダー（摺動部材）３３、ブラケット４を俯仰させる連結部材３４が収められるとともに、一端にハンドル７が設けられたねじ部材８が挿着され、そのねじ部分がスライダー（摺動部材）３３内のナット３９に螺接してなっている。
【００１２】
図１０は、本実施の形態に係る取付金具５の背面図（Ａ）、平面図（Ｂ）、側面図（Ｃ）である。図１０を参照すると、取付金具５は、壁掛けディスプレイ側の凹部に適合するよう形成された基本形状からなり、ブラケット４の係合部の基部４３に対応する左右に延在する長孔５１と、ブラケット４のねじ孔４４に対応する貫通孔５２とを、有してなっている。
【００１３】
図１１、図１２は、本実施の形態に係る壁掛けディスプレイの支持装置の動作状態を表わした平面図、断面模式図である。図１１に示されたとおり、本実施の形態に係る壁掛けディスプレイの支持装置は、アーム２ａ、２ｂ、２ｃ、２ｄからなるパンタグラフ状構造の動作可能範囲において、自由に平面移動させることが可能である。また、ねじ部材８の下方に挿着されたハンドル７を回転させて、ねじ部材８のねじ部分を回動し調節することで、スライダー（摺動部材）３３を貫通長孔３５の範囲で上下に細かく往復移動せしめ、もって、連結部材３４並びにこれに連結されたブラケット４を回転させて、所定の角度に細かく設定・保持することが可能となっている。
【００１４】
また、図１のように、ブラケット４の面が壁面と平行にある状態はもちろんとして、図１１、図１２の如く、ブラケットが任意の方向に指向した状態であっても、別途壁掛けディスプレイに装着した取付金具５の長孔５１を、ブラケット４の係合部の爪状端部４２に挿入し、次いで基部４３まで嵌合せしめた後、貫通孔５２並びにねじ孔４４を介して、下端をねじ止めすることで、簡便に壁掛けディスプレイを設置することが可能である。
【００１５】
上記した実施の形態においては、アーム２ａ、２ｂ、２ｃ、２ｄからなるパンタグラフ状構造を採用するものとして説明したが、本構成はモータ等によって、電動式とすることを考慮に入れた一構成例に過ぎない。その他図１３に示した如く、壁掛けディスプレイの重量等に応じて、アームの強度を考慮に入れて、２本のアームのみを用いたＶ字状の構成を採用することや、１本のアームを直接、ケース３に連結するＺ字状の構成にも変形可能である。
【００１６】
また、上記した実施の形態においては、ねじ部材８のねじ部分がスライダー（摺動部材）３３内のナット３９に螺接し、ねじ部材８の回動によって、スライダー（摺動部材）３３の往復移動と位置の保持を行う構成としているが、ケース（筐体）３内に、好ましくはばね等の付勢手段を備える等し、ねじ部材８と、スライダー（摺動部材）３３とを当接して、その往復移動を行う構成等も採用可能である。また、上記した実施の形態においては、ケース（筐体）３下方に配した貫通孔３１からねじ部材を回動させることで、スライダー（摺動部材）３３を下方に移動せしめ、ディスプレイ面を俯かせるものとしているが、本構成は、壁掛けディスプレイが高所に設置されることを考慮に入れた一構成例に過ぎない。壁掛けディスプレイの主用途や、取付金具の取付位置に応じて、スライダー（摺動部材）３３、ブラケット４、連結部材３４、ねじ部材８のそれぞれの位置関係を変更しうることは、勿論である。
【００１７】
【発明の効果】
本発明によれば、壁掛けディスプレイの設置場所・利用状況に応じて、その向きを簡便に変更することができ、また、壁掛けディスプレイの取付け自体も容易化される。
【図面の簡単な説明】
【図１】本発明の一実施の形態に係る壁掛けディスプレイの支持装置の平面図である。
【図２】本発明の一実施の形態に係る壁掛けディスプレイの支持装置の断面模式図である。
【図３】本発明の一実施の形態に係る壁掛けディスプレイの支持装置のベースの正面図（Ａ）、平面図（Ｂ）、底面図（Ｃ）、正面図（Ａ）のＤ−Ｄ’断面図（Ｄ）である。
【図４】本発明の一実施の形態に係る壁掛けディスプレイの支持装置のアームの正面図（Ａ）、平面図（Ｂ）、正面図（Ａ）のＣ−Ｃ’断面図（Ｃ）である。
【図５】本発明の一実施の形態に係る壁掛けディスプレイの支持装置の別のアームの正面図（Ａ）、平面図（Ｂ）、正面図（Ａ）のＣ−Ｃ’断面図（Ｃ）である。
【図６】本発明の一実施の形態に係る壁掛けディスプレイの支持装置のケースの正面図（Ａ）、平面図（Ｂ）、側面図（Ｃ）である。
【図７】本発明の一実施の形態に係る壁掛けディスプレイの支持装置のプレートの平面図（Ａ）、正面図（Ｂ）、側面図（Ｃ）である
【図８】本発明の一実施の形態に係る壁掛けディスプレイの支持装置のスライダー（摺動部材）及び連結部材の側面図（Ａ）、背面図（Ｂ）、平面図（Ｃ）である。
【図９】本発明の一実施の形態に係る壁掛けディスプレイの支持装置のブラケットの側面図（Ａ）、背面図（Ｂ）、平面図（Ｃ）である。
【図１０】本発明の一実施の形態に係る壁掛けディスプレイの支持装置の取付金具の背面図（Ａ）、平面図（Ｂ）、側面図（Ｃ）である。
【図１１】本発明の一実施の形態に係る壁掛けディスプレイの支持装置の動作状態を表わした平面図である。
【図１２】本発明の一実施の形態に係る壁掛けディスプレイの支持装置の動作状態を表わした断面模式図である。
【図１３】本発明の別の実施の形態に係る壁掛けディスプレイの支持装置の概略構成を説明するための図面である。
【符号の説明】
１  ベース
２ａ、２ｂ、２ｃ、２ｄ  アーム
３  ケース（筐体）
４  ブラケット
５  取付金具
６ａ、６ｂ  プレート
７  ハンドル
８  ねじ部材
３３  スライダー（摺動部材）
３４  連結部材
【図１】
2004363788.tif 000003
【図２】
2004363788.tif 000004
【図３】
2004363788.tif 000005
【図４】
2004363788.tif 000006
【図５】
2004363788.tif 000007
【図６】
2004363788.tif 000008
【図７】
2004363788.tif 000009
【図８】
2004363788.tif 000010
【図９】
2004363788.tif 000011
【図１０】
2004363788.tif 000012
【図１１】
2004363788.tif 000013
【図１２】
2004363788.tif 000014
【図１３】
2004363788.tif 000015